(57)【要約】【課題】フェイクホイップ、ドールアート、シャドウボックスなどのシリコンペーストを使用したホイップデコレーションというクラフトに容易に使用できるようにするノズル口とする。【解決手段】  シリコンペーストを収納する可撓性のシリコン容器１の容器口部１ｂに形成された外ねじ部１ｃにノズル口２Ａを連結する。ノズル口２Ａは、略円錐管形状をなし、基端部に前記容器口部の外ねじ部１ｃに螺合する内ねじ部２Ａａを設け、基端部から先端に向けた中空部の先端部にシリコンペーストを押し出す押出し口部２Ａｂを形成している。これによりホイップデコレーションという新しいクラフトを容易に楽しむことができる。【選択図】図２
0003156134.tif 000002
【実用新案登録請求の範囲】
【請求項１】
デコレーション用シリコンペーストを収納する可撓性のシリコン容器の容器口部に形成された外ねじ部に連結するノズル口において、
前記ノズル口は、略円錐管形状をなし、基端部に前記容器口部の外ねじ部に螺合する内ねじ部を設け、該基端部から先端に向けた中空部の先端部にシリコンペーストを押し出す押出し口部を形成したことを特徴とするデコレーション用シリコンペーストのノズル口。
【請求項２】
ノズル口が複数個同一方向に連結されていることを特徴とする請求項１記載のデコレーション用シリコンペーストのノズル口。
【請求項３】
複数個のノズル口はその基部で連結されていることを特徴とする請求項２記載のデコレーション用シリコンペーストのノズル口。
【考案の詳細な説明】
【技術分野】
【０００１】
本考案は、フェイクホイップ、ドールアート、シャドウボックスなどのクラフトに使用するホイップデコレーション用シリコンペーストのノズル口に関するものである。
【背景技術】
【０００２】
従来から種々のクラフトが行われている。ここで、ホイップデコレーションという新しいクラフトの手法を生み出した。
【０００３】
ホイップデコレーションはシリコンペーストを特定の形状のノズル口から細棒状や、花弁状に押し出して、シリコンペーストにより文字や絵柄を描いて立体的なデコレーションを形成するものである。シリコンペーストは時間を経過すれば固化して弾力性のある装飾を施すことができる。
【０００４】
一方、従来から、収容されているペースト状の物質を押し出すノズル口を設けた可撓性の容器が知られている。特許文献１に示される考案は、シリコンペーストを例えばボルトナットの防蝕のために、締め付けたボルトの先端に塗布するものであって、ノズル口の先端を半球形の凹部としている。これによりボルトの頭部などの凸形状部位を覆ってペースト状の内容物により被覆できるとしている。
【先行技術文献】
【特許文献】
【０００５】
【特許文献１】実登第３０３３２２１号公報
【０００６】
しかし、クラフト用のデコレーション用シリコンペーストから、目的に応じた立体形状を得るには、使用者はそれぞれの形状の複数のノズル口を準備し、この内から使用に適したノズル口を選択して使用する必要がある。従って、使用者が複数種のノズル口を購入するのに便利なように一つの袋などに複数個のノズル口をセットで収納した状態で販売する必要がある。
【０００７】
特に、需要者がノズル口を購入するに際して、必要とするノズル口が収納されていることを確認するためには、それぞれの押出し口部を確認する必要がある。仮に袋の表面等に押出し口部の形状が表示されていても、その押し出されるシリコンペーストの太さ（大きさ）まで直感し確認することができない。また、内部を視認できるように透明な袋としても、押出し口部を確認する際には、バラバラの方向で収納されている複数個のノズル口を正面に向かせた上で順番に確認していく必要があり、面倒であった。
【考案の概要】
【考案が解決しようとする課題】
【０００８】
解決しようとする問題点は、ホイップデコレーションという新しい手法のクラフトを生み出すことである。さらに、容易に交換可能なノズル口とするとともに、需要者が購入する際に目的とするノズル口を容易に選択することができるようにすることである。
【課題を解決するための手段】
【０００９】
請求項１の考案では、ノズル口が略円錐管形状をなし、その基端部に容器口部の外ねじ部に螺合する内ねじ部を設け、基端部から先端に向けた中空部の先端部にシリコンペーストを押し出す押出し口部を形成したことを特徴としている。
請求項２の考案では、請求項１の考案において、ノズル口が複数個同一方向に連結されていることを特徴としている。
請求項３の考案では、請求項２の考案において、複数個のノズル口はその基部で連結されていることを特徴としている。
【考案の効果】
【００１０】
本考案の請求項１のノズル口は、ノズル口が略円錐管形状をなし、その基端部に容器口部の外ねじ部に螺合する内ねじ部を設け、基端部から先端に向けた中空部の先端部にシリコンペーストを押し出す押出し口部を形成したことにより、ホイップデコレーションという新しいクラフトを容易に楽しむことができる。
請求項２の考案では、販売時にノズル口が複数個同一方向に連結されていることにより、ノズル口の口部を一度に確認することができて、目的とするノズル口を容易に購入することができる。
請求項３の考案では、請求項２の考案において、複数個のノズル口はその基部で連結されていることにより、使用に際して、それぞれのノズル口の切り離しを容易にすることができる。
【図面の簡単な説明】
【００１１】
【図１】図１はシリコン容器とノズル口の分離斜視図である。
【図２】図２はシリコン容器に取付けた状態のノズル口の断面図である。
【図３】図３は３連のノズル口を示す正面図である。
【図４】図４は３連のノズル口を示す平面図である。
【図５】図５は図４に示すノズル口により押し出されたシリコンの形状を示す斜視図である。
【考案を実施するための形態】
【００１２】
以下、本考案の実施例を詳細に説明する。
【実施例１】
【００１３】
図１に示すように、ペースト容器１はペーストを収容した可撓性の容器本体１ａと、容器本体１ａの一端に設けられた硬質の容器口部１ｂとからなり、容器口部１ｂの先端部外周には外ねじ部１ｃが形成されている。この外ねじ部１ｃには、不使用時には図示しない保護キャップが螺合されてペーストの漏れや乾燥が防止されている。
【００１４】
さて、使用に当たっては上述した保護キャップを外して、選択したノズル口２Ａを容器口部１ｂの外ねじ部１ｃに螺合する。この実施例のノズル口２Ａはシリコンペーストを細棒状に成形して押し出すために使用する。
【００１５】
ノズル口２Ａは図２に示すように、外形が略円錐管形状とされ、基部が約３ｍｍ、先端部が約１ｍｍの厚肉のポリエチレン製であり、容易に変形しない剛性を有している。そして基部に外ねじ部１ｃに螺合する内ねじ部２Ａａが形成され、先端に、シリコンペーストを細棒状に押し出されるように内径が約１ｍｍの断面円形の押出し口部２Ａｂが形成されている。これにより、ペースト容器１の容器本体１ａを押し付けることにより、棒状のシリコンペーストが押し出すことができて、絵や文字などを描くことができる。
【００１６】
図３は、販売時のノズル口セットの一例を示し、３個のノズル口がその基部で連結片３によって同一方向に連結されている。ノズル口は、それぞれノズル口２Ａと外観上共通の形状をなし、押出し口部２Ａｂとの形状を図４に示すようにそれぞれ相違している。前述したようにノズル口２Ａはシリコンペーストを図５（ａ）に示す細棒状に成形する際に使用する。ノズル口２Ｂは図５（ｂ）に示すように８方向に放射状とされた押出し口部２Ｂｂが開口されていて、シリコンペーストを大きめのホイップデコレーションに成形する際に使用する。またノズル口２Ｃは図５（ｃ）に示すように、ノズル口２Ｂとほぼ相似形の小さな押出し口部２Ｃｂとされ、小さなホイップデコレーションを成形する際に使用する。
【００１７】
そして、例示した３種のノズル口など各種のノズル口をセットとして販売される。購入に際して、図４に示されるよう需要者は、これら同一方向に連結されている３個のノズル口２Ａ、２Ｂ、２Ｃの押出し口部２Ａｂ，２Ｂｂ、２Ｃｂを一度に確認することができる。
使用に際しては、目的のノズル口を選択し、それぞれの基部を切り離して使用できる。
【産業上の利用可能性】
【００１８】
シリコンによるホイップデコレーションにより新しい手法のクラフトを楽しむことができる。
【符号の説明】
【００１９】
１  ペースト容器
２  ノズル口
２Ａ  棒状のシリコンペーストを押し出すノズル口
２Ａｂ  押出し口部
【図１】
0003156134.tif 000003
【図２】
0003156134.tif 000004
【図３】
0003156134.tif 000005
【図４】
0003156134.tif 000006
【図５】
0003156134.tif 000007